(57)【要約】【課題】追加されるコストが安価であり、かつ正確な設備機器の消費電力を取得可能な設備機器を提供する。【解決手段】空調機における室外機１は、制御基板８及び電力計測アダプタ９を備える。制御基板８は、外部ネットワーク１２に接続されており、被制御対象を制御する制御部８３、及び直流電源Ｖｄｃを生成する直流電源生成部８１を有する。電力計測アダプタ９は、制御基板８に接続されており、入出力ポートｐ２２を介して制御基板８から直流電源Ｖｄｃが供給される。電力計測アダプタ９は、直流電源Ｖｄｃの供給を受けて被制御対象の消費電力を計測する電力計測部９１と、直流電源Ｖｄｃの供給を受けて消費電力を制御基板８に送信するシリアル通信部９２とを有する。そして、制御基板８は、電力計測アダプタ９から受信した消費電力を、外部ネットワーク１２に出力する。【選択図】図２
2010043764.tif 000002
【特許請求の範囲】
【請求項１】
被制御対象を制御する制御部（８３）と直流電源（Ｖｄｃ）を生成する直流電源生成部（８１）とを有し、外部ネットワーク（１２）に接続されている制御基板（８）と、
前記制御基板（８）から前記直流電源（Ｖｄｃ）が供給される直流電源被供給部（ｐ２２）と、前記直流電源（Ｖｄｃ）の供給を受けて前記被制御対象により消費された電力を計測する電力計測部（９２）と、前記直流電源（Ｖｄｃ）の供給を受けて前記電力を前記制御基板（８）に送信する送信部（９３）とを有し、前記制御基板（８）に接続された電力計測用基板（９）と、
を備え、
前記制御基板（８）は、前記電力計測用基板（９）から受信した前記電力を、前記外部ネットワーク（１２）に出力する、
設備機器（１）。
【請求項２】
前記制御基板（８）は、
前記被制御対象の電源である交流電源（Ｖａｃ）を降圧させる降圧部（８２）、
を更に有し、
前記電力計測用基板（９）は、
前記制御基板（８）から降圧後の前記交流電源（Ｖｕｒ）が供給される交流電源被供給部（ｐ２３）、
を更に有し、
前記電力計測部（９２）は、降圧後の前記交流電源（Ｖｕｒ）に基づいて前記電力を計測する、
請求項１に記載の設備機器（１）。
【請求項３】
前記設備機器（１）は、空調機である、
請求項１または２に記載の設備機器（１）。
【請求項４】
前記電力計測用基板（９）は、前記制御基板（８）に着脱可能に取り付けられる、
請求項１〜３のいずれかに記載の設備機器（１）。
【請求項５】
前記電力計測用基板（９）の前記送信部（９３）は、シリアル通信により前記電力を前記制御基板（８）に送信する、
請求項１〜４のいずれかに記載の設備機器（１）。
【発明の詳細な説明】
【技術分野】
【０００１】
本発明は、設備機器に関する。
【背景技術】
【０００２】
ビルや住宅等の建物内には、空調機器や照明機器等のように電力を消費する設備機器が複数設置されている。そして、複数の設備機器は、例えば特許文献１及び特許文献２に開示されているように、ネットワークに接続されている場合がある。具体的に、特許文献１には、ネットワークに複数の設備機器が接続され、各設備機器によって消費される電力（以下、消費電力という）に関する情報等を収集する技術が開示されている。特許文献２には、ネットワークに複数の設備機器が接続され、各設備機器を制御するための制御装置によって設備機器の消費電力が推定される技術が知られている。
【特許文献１】特許第３６８０１４６号公報
【特許文献２】特開２００７−３３１３８号公報
【発明の開示】
【発明が解決しようとする課題】
【０００３】
ところで、特許文献１に係る技術において、設備機器の消費電力を計測するためには、設備機器とは別に電力計を設け、該電力計をネットワークに接続する必要がある。そのため、コストがかかってしまう。また、特許文献１に係る技術では、設備機器とは別に電力計をネットワークに接続するため、設備機器だけではなく電力計にもネットワークアドレスを割り当てる必要があり、手間がかかってしまう。
【０００４】
また、特許文献２に係る技術では、設備機器の消費電力が計測されるのではなく推定されるため、推定結果と実際の消費電力とが異なる場合が生じてしまう恐れがある。従って、特許文献２に係る技術では、必ずしも正確な設備機器の消費電力が得られるとは限らない。
【０００５】
そこで、本発明は、追加されるコストが安価であり、かつ正確な設備機器の消費電力を取得可能な設備機器の提供を目的とする。
【課題を解決するための手段】
【０００６】
発明１に係る設備機器は、制御基板及び電力計測用基板を備える。制御基板は、外部ネットワークに接続されており、制御部及び直流電源生成部を有する。制御部は、被制御対象を制御する。直流電源生成部は、直流電源を生成する。電力計測用基板は、制御基板に接続されており、直流電源被供給部、電力計測部及び送信部を有する。直流電源被供給部には、制御基板から直流電源が供給される。電力計測部は、直流電源の供給を受けて、被制御対象により消費された電力を計測する。送信部は、直流電源の供給を受けて、電力を制御基板に送信する。そして、制御基板は、電力計測用基板から受信した電力を、外部ネットワークに出力する。
【０００７】
この設備機器によると、電力計測用基板は、制御基板より直流電源を供給されると、これを電力源として利用して被制御対象における消費電力を計測する。このように、本発明に係る電力計測用基板は、制御基板が従来から有している直流電源を電力源として用いるため、直流電源を生成するための電源モジュールを別途有さずに済む。そして、電力計測用基板により計測された被制御対象の消費電力は、制御基板を介して外部ネットワークに出力される。そのため、電力計測用基板及び制御基板それぞれに、個別に外部ネットワークに接続するための外部ネットワークインターフェースを設けずとも、制御基板のみに外部ネットワークインターフェースを設ければよい。つまり、電力計測用基板に独自の電源モジュール及び外部ネットワークインターフェースを設けずに済むため、コストを削減することができ、かつ被制御対象が消費した正確な電力を得ることができる。
【０００８】
発明２に係る設備機器は、発明１に係る設備機器であって、制御基板は、降圧部を更に有する。降圧部は、被制御対象の電源である交流電源を降圧させる。電力計測用基板は、交流電源被供給部を更に有する。交流電源被供給部には、制御基板から降圧後の交流電源が供給される。そして、電力計測部は、降圧後の交流電源に基づいて、電力を計測する。
【０００９】
この設備機器によると、被制御対象の電力源である交流電源を降圧させるための降圧部が、制御基板内に設けられている。これにより、電力計測用基板は、制御基板により降圧された交流電源を供給されることで、被制御対象の消費電力を計測することができる。従って、被制御対象の消費電力を計測する電力計測用基板内に、交流電源を降圧させるための手段を設けずに済む。
【００１０】
発明３に係る設備機器は、発明１または２に係る設備機器であって、設備機器は、空調機である。
【００１１】
このように、本発明に係る設備機器は、空調機に適用することができ、上記発明１及び発明２と同様の効果を奏する。
【００１２】
発明４に係る設備機器は、発明１〜３のいずれかに係る設備機器であって、電力計測用基板は、制御基板に着脱可能に取り付けられる。
【００１３】
この設備機器では、電力計測用基板が制御基板に着脱可能に取り付けられるため、電力計測用基板を制御基板に容易に後付けすることができる。
【００１４】
発明５に係る設備機器は、発明１〜４のいずれかに係る設備機器であって、電力計測用基板の送信部は、シリアル通信により電力を制御基板に送信する。
【００１５】
この設備機器では、電力計測用基板がシリアル通信によって被制御対象の消費電力を制御基板に送信する。従って、電力計測用基板及び制御基板は、複雑な通信アルゴリズムを用いず、簡単な通信アルゴリズムで通信を行うことができる。
【発明の効果】
【００１６】
発明１に係る設備機器によると、電力計測用基板に独自の電源モジュール及び外部ネットワークインターフェースを設けずに済むため、コストを削減することができ、かつ被制御対象が消費した正確な電力を得ることができる。
【００１７】
発明２に係る設備機器によると、被制御対象の消費電力を計測する電力計測用基板内に、交流電源を降圧させるための手段を設けずに済む。
【００１８】
発明３に係る設備機器は、空調機に適用することができ、上記発明１または発明２と同様の効果を奏する。
【００１９】
発明４に係る設備機器では、電力計測用基板が制御基板に着脱可能に取り付けられるため、電力計測用基板を制御基板に容易に後付けすることができる。
【００２０】
発明５に係る設備機器によると、電力計測用基板及び制御基板は、複雑な通信アルゴリズムを用いず、簡単な通信アルゴリズムで通信を行うことができる。
【発明を実施するための最良の形態】
【００２１】
以下、本発明に係る設備機器について、図面を参照しつつ詳細に説明する。
【００２２】
（１）空調機における室外機の構成
図１は、本発明に係る設備機器が採用された空調機における室外機１の外観図である。ここで、空調機は、室内の天井等に取り付けられている室内機（図示せず）と、室外に設置されている室外機１とに分かれて構成されており、室内の冷房運転や暖房運転等を行うことができる。室内機及び室外機１は、図示しない冷媒配管を介して接続されている。
【００２３】
室外機１は、図１に示すように、主として、ケーシング２、室外熱交換器３、圧縮機４、室外ファン５、室外ファンモータ６及び電装品ユニット７を備える。
【００２４】
ケーシング２は、略直方体の形状を有しており、板金と樹脂によって形成されている。ケーシング２の内部は、図１に示すように、略鉛直方向に延びる仕切板２ａにより機械室Ｓ１と送風室Ｓ２とに分割されている。機械室Ｓ１には、圧縮機４や電装品ユニット７が設置され、送風室Ｓ２には、室外熱交換機３、室外ファン５、室外ファンモータ６が設置されている。
【００２５】
室外熱交換器３は、室外ファン５の回転により発生する空気流との間で熱交換を行う。室外熱交換器３は、略Ｌ字形状を有しており、ケーシング２の左側面から背面に向かうように配置されている。
【００２６】
圧縮機４は、図示しない冷媒配管内を流れる冷媒を圧縮するためのものであって、機械室Ｓ１内のうち仕切板２ａの近傍かつ電装品ユニット７の下側に配置されている。圧縮機４は、図示しない圧縮機用モータにより駆動される。
【００２７】
室外ファン５は、３枚の羽根を有するプロペラファンであって、室外熱交換器３により熱交換された空気を室外機１の外部に送る。室外ファンモータ６は、室外ファン５の回転駆動源であって、ケーシング２の内側側面にファンモータ固定部材６ｂを介して固定されている。室外ファンモータ６は、略円柱状の形状を有しており、その回転軸６ａは室外ファン５に接続されている。従って、室外ファン５は、室外ファンモータ６の回転が回転軸６ａを介して伝達されることにより回転することができる。
【００２８】
電装品ユニット７は、機械室Ｓ１において圧縮機４の上側に配置されている。本実施形態に係る電装品ユニット７は、制御基板８と電力計測アダプタ９（電力計測用基板に相当）とを有している。制御基板８及び電力計測アダプタ９は、図２に示すように、それぞれ複数の入出力ポートｐ１１〜ｐ１５，ｐ２１〜ｐ２４を有しており、制御基板８上に設けられたコネクタ８ａ（図１）を介して直接接続されている。以下では、制御基板８及び電力計測アダプタ９について、詳述する。
【００２９】
（１−１）制御基板
図２に示すように、制御基板８は、空調機の各機器と接続されている。空調機の各機器としては、圧縮機４や圧縮機用モータ、室外ファン５や室外ファンモータ６等の室外機１内における各機器が含まれる。更に、空調機の各機器としては、図示してはいないが、室内ファンや、室内ファンを制御する室内機側制御基板等の、室内機（図示せず）内における各機器も含まれる。以下では、説明の便宜上、このような空調機の各機器を、「被制御対象」と言う。
【００３０】
また、制御基板８は、商用電源１１と入出力ポートｐ１１，ｐ１２を介して接続されており、商用電源１１から出力される交流電源Ｖａｃの供給を受ける。更に、制御基板８は、入出力ポートｐ１３〜ｐ１５を介して電力計測アダプタ９と接続されている。このような制御基板８は、入出力ポートｐ１１〜ｐ１５の他に、主として、直流電源生成部８１、電圧変換器８２（降圧部に相当。以下、Voltage Transformer：ＶＴと言う）、制御部８３、外部ネットワーク通信部８４、及びシリアル通信部８５を有する。
【００３１】
尚、商用電源１１と制御基板８とを接続する２本の配線のうち、入出力ポートｐ１２に接続されている配線には、ＣＴ１０が連結されている。ＣＴ１０は、商用電源１１からの交流電源Ｖａｃの電流を検知する。具体的には、ＣＴ１０は、被制御対象の電力源である交流電源Ｖａｃの電流を微弱な電流信号に変換し、これを検知結果Ｓｄｔとして出力する。ＣＴ１０が出力した検知結果Ｓｄｔは、電力計測アダプタ９に入力される。このようなＣＴ１０は、実施形態では、図２に示すように、室外機１のケーシング２外部に露出している配線上に設けられている。
【００３２】
〔直流電源生成部〕
直流電源生成部８１は、商用電源１１から供給される交流電源Ｖａｃに基づいて、直流電源Ｖｄｃを生成する。直流電源生成部８１の種類としては、ドロッパー方式の電源やスイッチング電源等が挙げられる。直流電源生成部８１により生成された直流電源Ｖｄｃは、制御部８３、各通信部８４，８５等の制御基板８における他の機能部に供給されると共に、電力計測アダプタ９にも出力ポートｐ１３を介して供給され、供給先の電力源としての役割を担う。
【００３３】
尚、制御基板８及び電力計測アダプタ９の設計段階においては、制御基板８から電力計測アダプタ９へと直流電源Ｖｄｃを供給するために、２本の配線、即ち直流電源Ｖｄｃの出力配線とこれに対するＧＮＤ配線とが制御基板８から電力計測アダプタ９へと延びるように設計されるが、図２では、説明を簡単にするため、ＧＮＤ配線を省略し、直流電源Ｖｄｃ用の出力配線のみを表している。
【００３４】
また、商用電源１１から供給される交流電源Ｖａｃは、直流電源生成部８１の電力源であると共に、被制御対象（具体的には、圧縮機４や室外ファン５等）の電力源でもある。
【００３５】
〔ＶＴ〕
ＶＴ８２は、商用電源１１からの交流電源Ｖａｃを降圧させ、降圧電源Ｖｕｒを出力する。ＶＴ８２から出力される降圧電源Ｖｕｒは、出力ポートｐ１４を介して電力計測アダプタ９に出力される。
【００３６】
尚、上述した直流電源生成部８１と同様、図２では、説明を簡単にするため、ＶＴ８２におけるＧＮＤ配線を省略し、降圧電源Ｖｕｒ用の出力配線のみを表している。
【００３７】
〔制御部〕
制御部８３は、メモリ及びＣＰＵで構成されるマイクロコンピュータであって、被制御対象（具体的には、圧縮機４や室外ファン５等）を制御する。例えば、制御部８３は、圧縮機用モータや室外ファンモータ６を回転駆動させるための駆動信号等を各モータに出力することで、圧縮機４や室外ファン５を駆動させる。また、制御部８３は、図示してはいないが、室内機側制御部とも接続されており、室内機側制御部の制御等も行う。
【００３８】
〔外部ネットワーク通信部〕
外部ネットワーク通信部８４は、室外機外部のネットワーク、具体的にはインターネットやイントラネット、空調機器専用ネットワーク等である外部ネットワーク１２と接続されており、外部ネットワーク１２に接続された外部端末と通信を行うためのネットワークＩ／Ｆである。例えば、外部ネットワーク通信部８４は、被制御対象の全消費電力、つまり室内機及び室外機１を含む空調機の消費電力についてのデータ要求を、外部ネットワーク１２を介して外部端末から受信することができる。また、外部ネットワーク通信部８４は、電力計測アダプタ９の電力計測部９１（後述）により計測された消費電力のデータを、外部ネットワーク１２を介して外部端末に送信することができる。
【００３９】
〔シリアル通信部〕
シリアル通信部８５は、電力計測アダプタ９とシリアル通信を行う。具体的に、外部ネットワーク通信部８４が消費電力についてのデータ要求を外部端末から受信した場合、シリアル通信部８５は、入出力ポートｐ１５を介して電力計測アダプタ９に対し消費電力のデータ問い合わせを行う。そして、シリアル通信部８５は、電力計測アダプタ９から消費電力のデータが送られてきた場合、これを外部ネットワーク通信部８４に出力する。
【００４０】
（１−２）電力計測アダプタ
電力計測アダプタ９は、図１に示すように、制御基板８上のコネクタ８ａを介して制御基板８に着脱可能に取り付けられている。そして、電力計測アダプタ９は、図２に示すように、ＣＴ１０と入出力ポートｐ２１を介して接続されており、ＣＴ１０による検知結果Ｓｄｔ、つまり被制御対象の電力源である交流電源Ｖａｃの電流が微弱な電流に変換された信号が入力される。また、電力計測アダプタ９は、制御基板８と入出力ポートｐ２２〜ｐ２４を介して接続されている。特に、電力計測アダプタ９は、入出力ポートｐ２２（直流電源被供給部に相当）を介して制御基板８から直流電源Ｖｄｃを供給されると共に、入出力ポートｐ２３（交流電源被供給部に相当）を介して制御基板８から降圧電源Ｖｕｒを供給される。
【００４１】
このような電力計測アダプタ９は、入出力ポートｐ２１〜ｐ２４の他に、主として、電力計測部９１及びシリアル通信部９２（送信部に相当）を有する。
【００４２】
〔電力計測部〕
電力計測部９１は、制御基板８から入力ポートｐ２２を介して供給された直流電源Ｖｄｃを電力源として用いる。そして、電力計測部９１は、制御基板８から入力ポートｐ２３を介して出力された降圧電源ＶｕｒとＣＴ１０の検知結果Ｓｄｔとに基づいて、被制御対象の全消費電力、つまり空調機の消費電力を計測する。
【００４３】
ここで、電力計測部９１の構成について説明する。電力計測部９１は、図３に示すように、主として、２つのオペアンプＯＰａ，ＯＰｂ、２つのＡ／Ｄ変換器９１ａ，９１ｂ、及び演算部９１ｃを有している。
【００４４】
オペアンプＯＰａのマイナス側入力端子には、抵抗Ｒ１ａを介して図２の入力ポートｐ２３が接続され、ＶＴ８２から出力される降圧電源Ｖｕｒが入力される。オペアンプＯＰｂのマイナス側入力端子には、抵抗Ｒ１ｂを介してＣＴ１０の出力端子が接続され、ＣＴ１０から出力される検知結果Ｓｄｔが入力される。オペアンプＯＰａは、抵抗Ｒ１ａ及び抵抗Ｒ２ａの各抵抗値によって決定される増幅率を有しており、オペアンプＯＰｂは、抵抗Ｒ１ｂ及び抵抗Ｒ２ｂの各抵抗値によって決定される増幅率を有している。また、各オペアンプＯＰａ，ＯＰｂのプラス側入力端子には、所定の電圧値である基準電圧Ｖｒｅｆａ、Ｖｒｅｆｂが入力され、各オペアンプＯＰａ，ＯＰｂの電源電圧には、直流電源生成部８１から出力された直流電源Ｖｄｃが用いられる。このようなオペアンプＯＰａ，ＯＰｂは、マイナス側入力端子から入力された降圧電源Ｖｕｒ及び検知結果Ｓｄｔを、それぞれの増幅率に基づいて増幅させることができる。
【００４５】
Ａ／Ｄ変換器９１ａの入力端子は、オペアンプＯＰａの出力端子に接続され、Ａ／Ｄ変換器９１ｂの入力端子は、オペアンプＯＰｂの出力端子に接続される。各Ａ／Ｄ変換器９１ａ，９１ｂは、オペアンプＯＰａ，ＯＰｂにより増幅された後の信号ＳＡ，ＳＢを、それぞれ所定の時間間隔でサンプリング及びＡ／Ｄ変換することにより、信号ＳＡ，ＳＢを数値データＳＡ’，ＳＢ’（即ち、デジタル値）に変換する。
【００４６】
演算部９１ｃは、メモリ及びＣＰＵからなるマイクロコンピュータで構成されている。演算部９１ｃは、Ａ／Ｄ変換器９１ａ，９１ｂによってデジタル値に変換された数値データＳＡ’，ＳＢ’に基づいて、被制御対象の全消費電力を算出する。演算部９１ｃは、このようにして算出された全消費電力を、シリアル通信部９２に出力する。
【００４７】
〔シリアル通信部〕
シリアル通信部９２は、電力計測部９１と同様、制御基板８から入力ポートｐ２２を介して供給された直流電源Ｖｄｃを電力源として用い、制御基板８とシリアル通信を行う。具体的に、シリアル通信部９２は、制御基板８から入出力ポートｐ２４を介して消費電力のデータ問い合わせがあった場合、電力計測部９１が計測した消費電力のデータを制御基板８に送信する。
【００４８】
まとめると、上述したような構成を有する電力計測アダプタ９は、制御基板８のコネクタ８ａに差し込まれると、制御基板８から供給される直流電源Ｖｄｃを電力源とし、被制御対象の電源である交流電源Ｖａｃに基づいて被制御対象の全消費電力を計測する。そして、電力計測アダプタ９は、計測した消費電力を、シリアル通信によって制御基板８に送信する。制御基板８は、電力計測アダプタ９から送られてきた消費電力を、外部ネットワーク１２を介して外部端末に送信する。
【００４９】
（２）効果
（Ａ）
本実施形態に係る空調機の室外機１によると、電力計測アダプタ９は、制御基板８より直流電源Ｖｄｃを供給されると、これを電力源として利用して圧縮機４や室外ファン５等の被制御対象における総消費電力を計測する。このように、本実施形態に係る電力計測アダプタ９は、制御基板が従来から有している直流電源Ｖｄｃを電力源として用いるため、直流電源Ｖｄｃを生成するための電源モジュールを有さない構成となっている。また、電力計測アダプタ９により計測された被制御対象の総消費電力は、制御基板８を介して外部ネットワーク１２に出力される。そのため、電力計測アダプタ９及び制御基板８それぞれに、個別に外部ネットワーク１２に接続するための外部ネットワークインターフェース（即ち、外部ネットワーク通信部）を設ける必要がなく、制御基板８のみに外部ネットワーク通信部８４が設けられている。つまり、電力計測アダプタ９には独自の電源モジュール及び外部ネットワークインターフェースを設けずに済むため、コストを削減することができ、かつ被制御対象が消費した正確な電力を得ることができる。
【００５０】
（Ｂ）
また、本実施形態に係る室外機１では、交流電源Ｖａｃを降圧させるための手段であるＶＴ８２を制御基板８が有している。これにより、電力計測アダプタ９は、制御基板８のＶＴ８２により降圧された交流電源（即ち、降圧電源Ｖｕｒ）を供給されることで、被制御対象の消費電力を計測することができる。従って、被制御対象の消費電力を計測する電力計測アダプタ９内に、交流電源Ｖａｃを降圧させるための手段を設けずに済む。
【００５１】
（Ｃ）
また、本実施形態に示されているように、本発明に係る設備機器は、室外機１を備える空調機に適用することができる。
【００５２】
（Ｄ）
また、本実施形態に係る室外機１では、電力計測アダプタ９がコネクタ８ａを介して制御基板８に着脱可能に取り付けられる。そのため、電力計測アダプタ９を制御基板８に容易に後付けすることができる。
【００５３】
（Ｅ）
また、本実施形態に係る室外機１では、電力計測アダプタ９は、シリアル通信によって被制御対象の消費電力を制御基板８に送信する。従って、電力計測アダプタ９及び制御基板８は、複雑な通信アルゴリズムを用いず、簡単な通信アルゴリズムで通信を行うことができる。
【００５４】
＜その他の実施形態＞
（ａ）
上記実施形態では、図１及び図２に示すように、電力計測アダプタ９が、ケーシング２内に収容された電装品ユニット７内に位置し、かつ電装品ユニット７における制御基板８に着脱可能に取り付けられている場合について説明した。しかし、電力計測アダプタ９は、制御基板８と直接接続されるのであれは、電装品ユニット７の外に位置していてもよい。また、電力計測アダプタ９は、制御基板８と直接接続可能であれば、ケーシング２の外に位置するように取り付けられても良い。この場合、制御基板８と電力計測アダプタ９とを接続するコネクタ８ａを露出するための開口がケーシング２に設けられ、この開口を介して電力計測アダプタ９がコネクタ８ａに接続されることで、制御基板８と電力計測アダプタ９とをケーシング２外部から取り付けることが可能となる。
【００５５】
（ｂ）
上記実施形態では、制御基板８における外部ネットワーク通信部８４が、外部端末から消費電力のデータ要求を受信した場合に、消費電力のデータを外部端末に送信すると説明した。しかし、外部ネットワーク通信部８４が消費電力のデータを送信するタイミングは、これに限定されない。例えば、制御基板８のシリアル通信部８５は、所定間隔毎に消費電力のデータの出力要求を電力計測アダプタ９に行い、電力計測アダプタ９から消費電力のデータが送られてくれば、それを外部ネットワーク通信部８４が外部ネットワーク１２を介して外部端末に送信してもよい。また、指定された日時となった場合等の所定条件が満たされた時に、電力計測アダプタ９自体が自発的に消費電力のデータを制御基板８にシリアル送信してもよい。この場合、制御基板８は、電力計測アダプタ９から自発的に送信されてきた該消費電力のデータを、外部ネットワーク１２を介して外部端末に送信する。
【００５６】
（ｃ）
上記実施形態では、図２に示すように、電圧変換器であるＶＴ８２が制御基板８に設けられている場合について説明した。しかし、ＶＴは、図４に示すように、電力計測アダプタ９内に設けられていても良い（図４のＶＴ９３）。この場合、ＶＴ９３は、商用電源１１から延びる２本の配線と入出力ポートｐ２５を介して接続されている。そして、ＶＴ９３は、商用電源１１から出力される交流電源Ｖａｃを降圧させ、降圧後の降圧電源Ｖｕｒ’を電力計測部９１に出力する。
【００５７】
尚、図４では、説明を簡単にするため、２本の配線を１本で表している。
【００５８】
また、上記実施形態において、既に室外機１内に備えられている制御基板８及び電力計測アダプタが共にＶＴを有していない場合には、ＶＴは、制御基板８及び電力計測アダプタ９とは別途室外機１の内部に設けられてもよい。
【００５９】
（ｄ）
上記実施形態では、本発明に係る設備機器が、空調機に採用された場合について説明した。しかし、本発明に係る設備機器は、例えばマシニングセンタ等の、空調機以外の機器においても適用することができる。
【産業上の利用可能性】
【００６０】
本発明に係る設備機器は、電力計測用基板に独自の電源モジュール及び外部ネットワークインターフェースを設けずに済むため、コストを削減することができ、かつ被制御対象が消費した正確な電力を得ることができるという効果を有する。本発明は、空調機やマシニングセンタ等を設備機器とし、これらの消費電力を計測する場合に適用することができる。
【図面の簡単な説明】
【００６１】
【図１】本実施形態に係る室外機の構成を示す図。
【図２】本実施形態に係る制御基板及び電力計測アダプタの詳細な構成を示すと共に、各基板における配線状態を示す図。
【図３】電力計測部の構成を示す図。
【図４】その他の実施形態（ｃ）において、電圧変換器であるＶＴが電力計測アダプタ内に設けられた場合の、制御基板及び電力計測アダプタの配線状態を示す図。
【符号の説明】
【００６２】
１  室外機
４  圧縮機
５  ファン
７  電装品ユニット
８  制御基板
８ａ  コネクタ
８１  直流電源生成部
８２  ＶＴ
８３  制御部
８４  外部ネットワーク通信部
８５  シリアル通信部
９  電力計測アダプタ
９１  電力計測部
９１ａ，９１ｂ  Ａ／Ｄ変換器
９１ｃ  演算部
９２  シリアル通信部
１０  ＣＴ
１１  商用電源
１２  外部ネットワーク
ｐ１１〜ｐ１５，ｐ２１〜ｐ２４  入出力ポート
ＯＰａ，ＯＰｂ  オペアンプ
Ｒ１ａ，Ｒ１ｂ，Ｒ２ａ，Ｒ２ｂ  抵抗
Ｖｄｃ  直流電源
Ｖａｃ  交流電源
Ｖｕｒ  降圧電源
Ｓｄｔ  ＣＴの検知結果
【図１】
2010043764.tif 000003
【図２】
2010043764.tif 000004
【図３】
2010043764.tif 000005
【図４】
2010043764.tif 000006